(57)【特許請求の範囲】
【請求項１】
鍵穴を有する鍵穴部材と、
前記鍵穴に挿入部材が挿入される過程で前記挿入部材に押されて、第１形状から変形し、かつ前記挿入部材が前記鍵穴から抜かれる過程で前記第１形状に戻らない変形部材と
を備え、
前記変形部材は、前記鍵穴に前記挿入部材が挿入される過程で前記挿入部材に押されることにより、前記鍵穴の少なくとも一部を覆う前記第１形状から前記第１形状より広く前記鍵穴を露出させる第２形状に変形し、
前記変形部材は、前記第１形状の状態で、前記鍵穴の中心軸に向かって延伸する第１延伸部を有し、
前記変形部材は、前記鍵穴に前記挿入部材が挿入される過程で前記挿入部材に押されることにより、前記第１延伸部が前記挿入方向に折れ曲がることで、前記第１形状から前記第２形状に変形する、錠。
【請求項２】
前記変形部材は、前記鍵穴部材に対して固定される固定部と、前記第１延伸部と前記固定部との間に形成されている折り曲げ部とをさらに有し、
前記第１延伸部は、前記折り曲げ部を支点として折れ曲がる、請求項１に記載の錠。
【請求項３】
前記固定部は、前記鍵穴部材の側面に固着されている、請求項２に記載の錠。
【請求項４】
前記変形部材は、前記第１形状の状態で、前記第１延伸部の端部から前記中心軸に沿った方向に延伸する第２延伸部をさらに有する、請求項１から請求項３のいずれか１つに記載の錠。
【請求項５】
前記鍵穴部材は、前記鍵穴の側壁に凹部を有し、
前記第２延伸部は、前記第１延伸部が前記挿入方向に折れ曲がった場合、前記凹部に収まる、請求項４に記載の錠。
【請求項６】
キーコードを変更可能であり、キーコードをリセット可能な共通鍵およびキーコードをリセット不可能な固有鍵で開錠可能な可変錠である、請求項１から請求項５のいずれか１つに記載の錠。
【発明の詳細な説明】
【技術分野】
【０００１】
本発明は、錠に関する。
【背景技術】
【０００２】
特許文献１には、ドアに取り付けられた錠の鍵穴に異物が挿入されたことを検知すると、監視センタに発報することが記載されている。
特許文献１  特開平８−３３８１６２号公報
【発明の概要】
【発明が解決しようとする課題】
【０００３】
錠で施錠された遊技機などが流通過程などにおいて不正に開錠されたことを把握できるようにすることが望まれている。
【課題を解決するための手段】
【０００４】
本発明の一態様に係る錠は、鍵穴を有する鍵穴部材と、鍵穴に挿入部材が挿入される過程で挿入部材に押されて、第１形状から変形し、かつ挿入部材が鍵穴から抜かれる過程で第１形状に戻らない変形部材とを備える。
【０００５】
上記錠において、変形部材は、鍵穴に挿入部材が挿入される過程で挿入部材に押されることにより、鍵穴の少なくとも一部を覆う第１形状から第１形状より広く鍵穴を露出させる第２形状に変形してよい。
【０００６】
上記錠において、変形部材は、第１形状の状態で、鍵穴の中心軸に向かって延伸する第１延伸部を有し、変形部材は、鍵穴に挿入部材が挿入される過程で挿入部材に押されることにより、第１延伸部が挿入方向に折れ曲がることで、第１形状から第２形状に変形してよい。
【０００７】
上記錠において、変形部材は、内筒に対して固定される固定部と、第１延伸部と固定部との間に形成されている折り曲げ部とをさらに有し、第１延伸部は、折り曲げ部を支点として折れ曲がってよい。
【０００８】
上記錠において、固定部は、内筒の側面に固着されていてよい。
【０００９】
上記錠において、変形部材は、第１形状の状態で、第１延伸部の端部から中心軸に沿った方向に延伸する第２延伸部をさらに有してよい。
【００１０】
上記錠において、鍵穴部材は、鍵穴の側壁に凹部を有し、第２延伸部は、第１延伸部が挿入方向に折れ曲がった場合、凹部に収まってよい。
【００１１】
上記錠は、キーコードを変更可能であり、キーコードをリセット可能な共通鍵およびキーコードをリセット不可能な固有鍵で開錠可能な可変錠でよい。
【００１２】
なお、上記の発明の概要は、本発明の特徴の全てを列挙したものではない。また、これらの特徴群のサブコンビネーションもまた、発明となりうる。
【図面の簡単な説明】
【００１３】
【図１】本実施形態に係るシリンダ錠の外観斜視図の一例を示す図である。
【図２】シリンダ錠の分解斜視図の一例を示す図である。
【図３】変形部材の外観斜視図の一例を示す図である。
【図４Ａ】内筒の側面のうち、変形部材が固着される部分を示す図である。
【図４Ｂ】内筒の側面に変形部材が固着された状態を示す図である。
【図５Ａ】変形部材が第１形状の場合におけるシリンダ錠を正面から見た図である。
【図５Ｂ】シリンダ錠の断面図の一例を示す図である。
【図６】挿入部材として共通鍵が鍵穴に挿入される様子を示すシリンダ錠の断面図の一例を示す図である。
【図７Ａ】変形部材が第２形状の場合におけるシリンダ錠の断面図の一例を示す図である。
【図７Ｂ】図７Ａの変形部材を拡大した部分断面図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、本実施形態に係るシリンダ錠１０の外観斜視図の一例を示す図である。シリンダ錠１０は、キーコードを変更可能なシリンダ錠である。シリンダ錠１０を開錠または施錠するのに用いられる鍵は、キーコードをリセット可能な共通鍵５０と、キーコードをリセット不可能な固有鍵６０とがある。シリンダ錠１０は、開錠可能なキーコードに応じて、共通鍵５０および固有鍵６０のいずれか一方で開錠または施錠できる。
【００１６】
共通鍵５０は、複数のシリンダ錠に共通のキーコードを有する鍵である。共通鍵５０は、入手が比較的容易なセキュリティが低い鍵である。固有鍵６０は、固有のキーコードを有する鍵である。固有鍵６０は、入手に制限があり、不正に入手することが困難なセキュリティが高い鍵である。なお、本実施形態では、キーコードを変更可能なシリンダ錠を例に説明するが、シリンダ錠は、キーコードを変更できない錠でもよい。さらに言えば、鍵穴を有する錠であれば、シリンダ錠でなくてもよい。
【００１７】
シリンダ錠１０は、外筒２０および内筒３０を備える。外筒２０は、中心軸を中心に内筒３０を回転可能に収容する。内筒３０は、鍵が挿入される鍵穴３１を有する。内筒３０は、鍵穴部材の一例である。外筒２０は、鍵穴３１を露出する開口２３を有する。内筒３０は、鍵穴３１に挿入された鍵が時計回りまたは反時計回りに回転することに対応して、外筒２０の中心軸を中心に時計回りまたは反時計回りに回転する。
【００１８】
シリンダ錠１０は、内部に物を収める容器を施錠するのに用いられてよい。シリンダ錠１０は、内部に電気回路または電子回路などを収める筐体を容器として施錠するのに用いられてよい。シリンダ錠１０は、例えば、パチンコ台またはスロット台などの遊技機を施錠するのに用いられてよい。遊技機は、例えば、枠、遊技機本体、およびカバーを備える。遊技機は、枠を介して遊技場の島設備に固定される。カバーは、遊技機本体に設けられた遊技盤を視認可能に覆う。
【００１９】
シリンダ錠１０は、例えば、遊技機本体が有する取付穴に設けられ、枠に対する遊技機本体の施錠を行う。遊技機本体は、錠取付部材の一例である。シリンダ錠１０は、遊技機本体に対するカバーの施錠をさらに行う。例えば、共通鍵５０または固有鍵６０がシリンダ錠１０に対して時計回りに回転されることで、シリンダ錠１０は、枠に対する遊技機本体の施錠状態を開錠状態にする。また、共通鍵５０または固有鍵６０がシリンダ錠１０に対して反時計回りに回転されることで、シリンダ錠１０は、遊技機本体に対するカバーの施錠状態を開錠状態にする。
【００２０】
ところで、シリンダ錠１０の出荷時には、設置場所の固有鍵６０のキーコードが不明である場合が多い。例えば、複数のホールに用いられる大量の遊技機がトラックで輸送されることがある。また、大量の遊技機が一旦流通倉庫に保管された後、各ホールに分配されることがある。また、ホールに設置される遊技機の台数が変更されることもある。このように、遊技機は設置されるまでどのホールに設置されるか確定できない場合が多い。
【００２１】
そこで、遊技機に設けられたシリンダ錠１０は、ホールへの設置時の便宜性を確保するために、開錠可能なキーコードとして、共通鍵５０のキーコードが設定された状態で出荷される。開錠可能なキーコードとして共通鍵５０のキーコードが設定されていることで、遊技機の出荷前の検査、または着荷後の検査を容易に実施することができる。
【００２２】
ホールの管理者は、遊技機がホールに設置された後に、共通鍵５０を用いてシリンダ錠１０のキーコードをリセットして、そのホールに固有の固有鍵６０を用いて固有鍵６０のキーコードをシリンダ錠１０の施錠可能なキーコードに設定する。これにより、シリンダ錠１０は、ホールに固有の固有鍵６０でのみ開錠および施錠されることができ、セキュリティを高めることができる。
【００２３】
しかしながら、上記のように、遊技機に設けられたシリンダ錠１０のキーコードが共通鍵５０のキーコードに設定されている場合、遊技機が出荷され、ホールに設置されるまでの間に、不特定の人が入手可能な共通鍵５０を用いて遊技機に不正行為が行われる可能性がある。例えば、遊技機の流通倉庫に保管されている遊技機に対して、不正に部品交換などが行われる可能性がある。したがって、流通過程などにおいて不正にシリンダ錠１０が開錠されたことを把握できることが望ましい。
【００２４】
そこで、本実施形態に係るシリンダ錠１０は、流通過程などにおいて不正にシリンダ錠１０が開錠されたことを把握するためのフラグとして機能する変形部材３６を外筒２０の内部に有する。変形部材３６は、鍵穴３１の少なくとも一部を覆う第１形状で内筒３０に固着されていてよい。
【００２５】
変形部材３６は、鍵穴３１に共通鍵５０または固有鍵６０などの挿入部材が挿入される過程で挿入部材に押されて、第１形状から変形し、かつ挿入部材が鍵穴から抜かれる過程で第１形状に戻らない。変形部材３６は、鍵穴３１に挿入部材が挿入される過程で挿入部材に押されることにより、鍵穴３１の少なくとも一部を覆う第１形状から第１形状より広く鍵穴３１を露出させる第２形状に変形してよい。変形部材は、第２形状に変形した後、挿入部材が鍵穴３１から抜かれる過程で第１形状に戻らず、第２形状のままでよい。
【００２６】
変形部材３６は、第１形状において、鍵穴３１内に起立した状態である。そして、変形部材３６は、挿入部材により押されることで、鍵穴３１内で倒れた状態に変形し、第２形状になってよい。変形部材３６は、挿入部材が挿入されることで押されて変形し、鍵穴３１を完全に露出してよい。変形部材３６は、共通鍵５０または固有鍵６０が鍵穴３１に挿入されることを妨げない範囲で鍵穴３１を露出させる程度に変形すればよい。
【００２７】
上記のように、鍵穴３１に挿入可能な挿入部材が挿入されると変形部材３６は、第１形状から第２形状に変形して、第１形状には戻らない。したがって、変形部材３６が第１形状から変形しているか否かを確認することで、流通過程などにおいて不正にシリンダ錠１０が開錠された可能性があるか否かを把握できる。また、変形部材３６が第１形状において鍵穴３１の少なくとも一部を覆っている場合には、変形部材３６が鍵穴３１の少なくとも一部を覆っているか否かを確認することで、流通過程などにおいて不正にシリンダ錠１０が開錠された可能性があるか否かを把握できる。これにより、本実施形態に係るシリンダ錠１０によれば、設置前にシリンダ錠１０が開錠された可能性があれば、遊技機に不正が行われている可能性があることを容易に把握できる。よって、遊技機に対して不正に部品交換が行われたことを気づかずに、その遊技機がホールで利用されることを防止できる。
【００２８】
図２は、シリンダ錠１０の分解斜視図の一例を示す図である。シリンダ錠１０は、外筒２０、内筒３０、変形部材３６、リセットボタン４０、および背面カバー２４を備える。
【００２９】
外筒２０は、正面に開口２３を有する。外筒２０には、取り付けフランジ２２が一体的に形成されている。シリンダ錠１０は、遊技機などが有する錠取付部材に形成された取付穴に、取り付けフランジ２２を介して設置される。
【００３０】
内筒３０は、鍵穴３１を含む。内筒３０は、鍵の回転に応じて外筒２０の中心軸を中心に回転する。背面カバー２４は、内筒３０の出力軸３２を外部に露出した状態で、内筒３０の背面を覆う。出力軸３２は、外部の施錠ユニットと機械的に連結される。出力軸３２が回転することに応じて施錠ユニットが施錠対象の開錠および施錠を行う。
【００３１】
ユーザは、共通鍵５０のキーコードに設定されているシリンダ錠１０に対して、共通鍵５０、または固有鍵６０を用いて、開錠または施錠を行うことができる。ユーザは、キーコードをリセットする場合、例えば、リセットボタン４０を中心軸と垂直な方向下方に押下しながら、共通鍵５０を用いて、キーコードをリセットさせるためのリセット位置に内筒３０を回転させる。リセット位置に内筒３０を回転させた後、ユーザは、鍵穴３１に新たな固有鍵６０を挿入して、内筒３０を再び施錠位置まで回転させることで、シリンダ錠１０のキーコードを新たな固有鍵６０に固有のキーコードに変更することができる。
【００３２】
変形部材３６は、外筒２０内に変形可能に収容される。変形部材３６は、シリンダ錠１０の開錠または施錠を行う共通鍵５０または固有鍵６０以外の挿入部材により、第１形状から第２形状に変形されてよい。変形部材３６は、シリンダ錠１０の使用を開始する前に、専用の初期操作治具を用いて、第１形状から第２形状に変形されてよい。
【００３３】
図３は、変形部材３６の外観斜視図の一例を示す。なお、変形部材３６の形状は、図３に示す形状には限定されない。
【００３４】
変形部材３６は、第１形状の状態で、鍵穴３１の中心軸に向かって延伸する第１延伸部３６１を有する。なお、変形部材３６が第１形状の状態で、第１延伸部３６１は、鍵穴３１の中心軸に対して平行でなければ、鍵穴３１の中心軸に対して垂直な方向に延伸していなくてもよい。変形部材３６が第１形状の状態で、第１延伸部３６１が延伸する方向のベクトルと、鍵穴３１の中心軸の方向のベクトルとの間の角度が０度より大きければよい。
【００３５】
変形部材３６は、内筒３０に対して固定される固定部３６２と、第１延伸部３６１と固定部３６２との間に形成されている折り曲げ部３６４とをさらに有する。固定部３６２は、固定穴３６３を有し、固定穴３６３を介して内筒３０の側面に固着されてよい。変形部材３６は、鍵穴３１に共通鍵５０などの挿入部材が挿入される過程で挿入部材に押されることにより、第１延伸部３６１が折り曲げ部３６４を支点として挿入方向に折れ曲がることで、第１形状から第２形状に変形する。
【００３６】
変形部材３６は、第１形状の状態で、第１延伸部３６１の端部から中心軸に沿った方向に延伸する第２延伸部３６５をさらに有する。内筒３０は、鍵穴３１の側壁に凹部を有し、第２延伸部３６５は、第１延伸部３６１が挿入方向に折れ曲がった場合、鍵穴３１の凹部に収まる。変形部材３６が第２延伸部３６５を有することで、第１延伸部３６１が折れ曲がった第２形状において、共通鍵５０などの挿入部材が、鍵穴３１から抜かれる過程で、第１延伸部３６１の端部に引っ掛かり、抜けにくくなることを防止できる。
【００３７】
なお、図３では、折り曲げ部３６４は、切り欠きで構成している。しかし、折り曲げ部３６４の形状は、切り欠きには限定されない。折り曲げ部３６４は、折り曲げやすくする形状であれば、例えば、溝、スリットなどで構成してもよい。
【００３８】
また、変形部材３６は、鍵穴３１に共通鍵５０または固有鍵６０が挿入される過程で、折れ曲がるので、比較的に柔らかい材料で構成されることが好ましい。また、折れ曲がった場合に、破断して、変形部材３６の一部が鍵穴３１の内部に異物として混入することを防止するために、ある程度の強度を有する材料で構成されることが好ましい。そこで、変形部材３６は、例えば、縦弾性係数が７０ＧＰａ前後で引張強さが２００〜３００ＭＰａ程の材料で展伸性が良い材料で構成されることが好ましい。変形部材３６は、例えば、アルミニウムまたは黄銅などで構成してもよい。
【００３９】
図４Ａは、変形部材３６が固着される内筒３０の側面３０１を示す。図４Ｂは、内筒３０の側面に変形部材３６が固着された状態を示す。図４Ａに示すように、内筒３０の側面３０１には、変形部材３６を固着するための突起部３０２が形成されている。変形部材３６の固定部３６２の固定穴３６３に突起部３０２を嵌めて、かしめることで、変形部材３６は、内筒３０の側面３０１に固着される。
【００４０】
図５Ａは、変形部材３６が第１形状の場合におけるシリンダ錠１０を正面から見た図である。変形部材３６が第１形状の場合、つまりシリンダ錠１０が未使用状態の場合、鍵穴３１の一部を覆うように配置されている。
【００４１】
図５Ｂは、シリンダ錠１０の断面図の一例を示す図である。変形部材３６は、内筒３０の側面に、固定部３６２を介して固着されている。内筒３０の鍵穴３１の側壁には、第１延伸部３６１が挿入部材により押されて折れ曲がり、変形部材３６が第２形状になったときに、第２延伸部３６５に対応する位置に、凹部３４が形成されている。第２延伸部３６５は、変形部材３６が折れ曲がった場合に、凹部３４に収まる。
【００４２】
図６は、挿入部材として共通鍵５０が鍵穴３１に挿入される様子を示すシリンダ錠１０の断面図の一例である。未使用状態のシリンダ錠１０の鍵穴３１の少なくとも一部は、変形部材３６の第１延伸部３６１で覆われている。この状態で、鍵穴３１に共通鍵５０が挿入されると、第１延伸部３６１が共通鍵５０の挿入部５２により押され、折れ曲がり、変形部材３６が第２形状になる。
【００４３】
図７Ａは、変形部材３６が第２形状の場合におけるシリンダ錠１０の断面図の一例を示す図である。図７Ｂは、図７Ａの変形部材３６を拡大した部分断面図である。変形部材３６は、第２形状に変形すると、第２延伸部３６５が内筒３０の内壁に形成された凹部３４に収まる。これにより、上記の通り、共通鍵５０または固有鍵６０が鍵穴３１から抜かれる際に、変形部材３６に引っ掛かり、抜けにくくなることを防止できる。また、第２延伸部３６５が凹部３４に収まっていることで、外部から第１延伸部３６１を引っ張って、元の位置に戻しにくくできる。
【００４４】
以上、本実施形態に係るシリンダ錠１０によれば、変形部材３６の状態を確認することで、シリンダ錠１０の鍵穴３１に少なくとも一回、なんらかの挿入部材が挿入されたことを把握できる。鍵穴３１に少なくとも一回、なんらかの挿入部材が挿入されていれば、設置前にシリンダ錠１０が開錠された可能性があり、遊技機に不正が行われている可能性がある。よって、変形部材３６の状態を確認することで、遊技機に不正が行われたか否かを把握できる。これにより、遊技機に対して不正に部品交換が行われたことを気づかずに、その遊技機がホールで利用されることを防止できる。
【００４５】
シリンダ錠１０が使用されたかどうかを確認するための手法として、鍵穴３１を覆うように未開封シール、封印シールなどと称されるシールを貼っておくことも考えられる。しかし、このようなシールは、比較的に容易に入手できる場合もある。したがって、シリンダ錠１０が開けられた後に、新しいシールが貼り付けられることで、不正に気づかない可能性がある。一方、本実施形態に係るシリンダ錠１０によれば、変形部材３６は、第２形状に変形してしまうと、元の形状に戻すのは困難である。したがって、上記のようなシールに比べて、不正行為をより見逃しにくくできる。
【００４６】
なお、上記の実施形態では、変形部材３６は、鍵穴３１の挿入口付近の内筒３０の側面に設けられる例について説明した。しかし、変形部材３６が設けられる場所は、鍵穴３１の挿入口付近には限定されない。変形部材３６は、鍵穴３１に挿入される共通鍵５０または固有鍵６０などの挿入部材の挿入経路上に設けられていればよい。例えば、変形部材３６は、鍵穴３１の奥に設けられてよい。また、変形部材３６は、外筒２０などに設けられてよい。
【００４７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４９】
１０  シリンダ錠
２０  外筒
２２  取り付けフランジ
２３  開口
２４  背面カバー
３０  内筒
３１  鍵穴
３２  出力軸
３４  凹部
３６  変形部材
４０  リセットボタン
５０  共通鍵
５２  挿入部
６０  固有鍵
３０２  突起部
３６１  第１延伸部
３６２  固定部
３６３  固定穴
３６４  折り曲げ部
３６５  第２延伸部
【図１】
0006365089.tif 000002
【図２】
0006365089.tif 000003
【図３】
0006365089.tif 000004
【図４Ａ】
0006365089.tif 000005
【図４Ｂ】
0006365089.tif 000006
【図５Ａ】
0006365089.tif 000007
【図５Ｂ】
0006365089.tif 000008
【図６】
0006365089.tif 000009
【図７Ａ】
0006365089.tif 000010
【図７Ｂ】
0006365089.tif 000011